(57)【要約】【課題】簡素な構成で、パウチを床面等に落下させてしまった場合であっても、ポケット部内からノズル部が抜け出すことを抑制可能なパウチを提供すること。【解決手段】パウチ本体２０とノズル部３０とポケット部４０とを備え、ポケット部は、ノズル部３０を上方から受け入れて収容するように構成され、注出口３２ａまたは注出口予定部３２ｂは、内容液収容部２１の左右方向中央よりも、左右方向における第１の側に寄せた位置に形成されているパウチ１０。【選択図】図２
2020152393.tif 000002
【特許請求の範囲】
【請求項１】
内容液収容部を有したパウチ本体と、前記内容液収容部に連通する注出流路および注出口または注出口予定部を有したノズル部と、前記ノズル部の少なくとも前記注出口を収容可能なポケット部とを備えたパウチであって、
前記ノズル部は、第１接続部によって前記パウチ本体の本体裏側フィルム部に接続されたノズル表側フィルム部と、前記第１接続部よりも下方に設定された第２接続部によって前記パウチ本体の本体表側フィルム部に接続されたノズル裏側フィルム部とを有し、
前記ポケット部は、前記本体表側フィルム部と前記ノズル裏側フィルム部とを対向させるように下方に向けられた状態の前記ノズル部を、上方から受け入れて収容するように構成され、
前記注出口または前記注出口予定部は、前記内容液収容部の左右方向中央よりも、左右方向における第１の側に寄せた位置に形成されていることを特徴とするパウチ。
【請求項２】
前記ノズル部は、前記ノズル表側フィルム部および前記ノズル裏側フィルム部を熱接着して形成され、内容液の注出時に内容液を前記注出口に向けてガイドするための注出案内シール部を有し、
前記注出案内シール部は、前記内容液収容部の左右方向中央を跨いで形成され、
前記ポケット部に前記注出口を収容した状態において、前記注出案内シール部の下端縁と前記ポケット部の上端縁とが、前記内容液収容部の左右方向中央よりも第２の側で交差するように、前記注出案内シール部が形成されていることを特徴とする請求項１に記載のパウチ。
【請求項３】
前記ポケット部の上端縁は、左右方向に平行に形成され、
前記注出案内シール部の上端縁および下端縁は、左右方向中央よりも第１の側の領域において、左右方向における第１の側に向かうに従って下方に寄るように形成されていることを特徴とする請求項２に記載のパウチ。
【請求項４】
前記ポケット部に表裏方向に重なる位置における前記内容液収容部の左右方向の内幅寸法をＢ、前記ポケット部の上下方向の縦幅寸法をＣと規定した場合、
Ｂ／Ｃは、１０．０以下に設定されていることを特徴とする請求項１乃至請求項３のいずれかに記載のパウチ。
【請求項５】
前記第１接続部から前記ポケット部の下端縁までの上下方向の寸法をＤと規定した場合、
Ｄ／Ｃは、２．０以上に設定されていることを特徴とする請求項４に記載のパウチ。
【請求項６】
前記パウチは、左右方向の両側にサイドシール部を有し、
前記第１の側の前記サイドシール部には、使用者が前記パウチを把持するための取手部が形成されていることを特徴とする請求項１乃至請求項５のいずれかに記載のパウチ。
【請求項７】
前記パウチは、トップシール部を有し、
前記ノズル表側フィルム部および前記本体裏側フィルム部は、前記トップシール部において、無負荷状態で前記ノズル部が下方を向くように、熱溶着されていることを特徴とする請求項１乃至請求項６のいずれかに記載のパウチ。
【請求項８】
前記ポケット部は、前記本体表側フィルム部を折り曲げることで形成されていることを特徴とする請求項１乃至請求項７のいずれかに記載のパウチ。
【発明の詳細な説明】
【技術分野】
【０００１】
本発明は、内容液収容部を有したパウチ本体と、内容液収容部に連通する注出口または注出口予定部を有したノズル部と、ノズル部の少なくとも注出口を収容可能なポケット部とを備えたパウチに関する。
【背景技術】
【０００２】
従来、液体洗剤等の内容液を収容する詰め替え用容器として、内容液収容部を有したパウチ本体と、内容液収容部に連通する注出口または注出口予定部を有したノズル部と、ノズル部の少なくとも注出口を収容可能なポケット部とを備えたパウチが知られている（例えば特許文献１参照）。また、別の詰め替え用容器として、パウチの斜め上方向にノズル部としてのスパウトが付設されたスパウト付パウチが知られている（例えば特許文献２参照）。
【０００３】
この特許文献１、２のパウチでは、詰め替え先の容器に対して内容液を注出する時に、ノズル部を利用して円滑な注出を実現するとともに、特許文献１のパウチでは、パウチの開封後（注出口の形成後）には、注出口が形成されたノズル部の先端部付近をポケット部内に収容することで、注出口から内容液の液漏れを生じた場合であっても、液漏れした内容液をポケット部で受け止めることが可能であるため、パウチの外面や保管場所等の周辺環境に内容液が付着することを防止できる。また、特許文献２のパウチでは、スパウトの開口部をキャップで閉栓することにより、内容液の液漏れを防止できる。
【先行技術文献】
【特許文献】
【０００４】
【特許文献１】特開２０１３−６７３９７号公報
【特許文献２】特開２０１７−６５７４７号公報
【発明の概要】
【発明が解決しようとする課題】
【０００５】
ところが、特許文献１に開示されるパウチでは、パウチの開封後（注出口の形成後）において、ポケット部内にノズル部を収容した状態でパウチを床面等に落下させてしまった時等、パウチに衝撃が加わったときに、パウチへの衝撃に起因して、ポケット部内からノズル部が抜け出してしまい、ノズル部の注出口から漏れ出した内容液がパウチの外面や保管場所等の周辺環境が付着することがあるという問題があった。
また、特許文献２に開示されるパウチでは、パウチの袋部分とは別にスパウトが設けられており、その分、使用されている樹脂の量が多くなってしまうという問題があった。
【０００６】
そこで、本発明は、これらの問題点を解決するものであり、簡素な構成で、パウチを床面等に落下させてしまった場合であっても、ポケット部内からノズル部が抜け出すことを抑制可能なパウチであって、使用する樹脂量を削減可能なパウチを提供することを目的とするものである。
【課題を解決するための手段】
【０００７】
本発明は、内容液収容部を有したパウチ本体と、前記内容液収容部に連通する注出流路および注出口または注出口予定部を有したノズル部と、前記ノズル部の少なくとも前記注出口を収容可能なポケット部とを備えたパウチであって、前記ノズル部は、第１接続部によって前記パウチ本体の本体裏側フィルム部に接続されたノズル表側フィルム部と、前記第１接続部よりも下方に設定された第２接続部によって前記パウチ本体の本体表側フィルム部に接続されたノズル裏側フィルム部とを有し、前記ポケット部は、前記本体表側フィルム部と前記ノズル裏側フィルム部とを対向させるように下方に向けられた状態の前記ノズル部を、上方から受け入れて収容するように構成され、前記注出口または前記注出口予定部は、前記内容液収容部の左右方向中央よりも、左右方向における第１の側に寄せた位置に形成されていることにより、前記課題を解決するものである。
【発明の効果】
【０００８】
本請求項１に係る発明によれば、ノズル部の注出口または注出口予定部が、内容液収容部の左右方向中央よりも、左右方向における第１の側に寄った位置に形成されていることにより、ノズル部の注出口または注出口予定部を左右方向中央に形成した場合に生じがちな、内容液が勢いよく多量に注出されてしまうことや、内容液の注出時に注出口から外部空気が入り込んで脈動を生じてしまうことを抑制できるばかりでなく、以下の効果を奏することができる。
すなわち、パウチの開封後（注出口の形成後）であって、ポケット部内にノズル部を収容した状態でパウチを床面等に落下させてしまった時等、パウチに衝撃が加わったときには、パウチへの衝撃によって内容液収容部内で生じる内容液の流動に起因して、左右方向中央付近が膨らむようにパウチに変形が生じるが、本請求項１に係る発明では、ノズル部の注出口または注出口予定部を、左右方向における第１の側に寄せた位置に形成することにより、上記のパウチの変形がポケット部に収容されたノズル部に与える影響を小さく抑えることが可能であるため、ポケット部内からノズル部が抜け出すことを抑制でき、液漏れした内容液がパウチの外面や保管場所等の周辺環境に付着することを防止できる。また、複数回使用を想定した場合、パウチを開封した後に、不意に倒れたり、他の物品に不意に押されたりした場合でも、ノズルがポケット部内に収納されているため、ノズルから内容液が漏れるのを防ぐことができる。さらに、パウチ全体がフィルム材料で形成されているため、注出口にスパウトなどの別部材を使用することなく、樹脂量を削減することが可能である。
【０００９】
本請求項２に係る発明によれば、ポケット部に注出口を収容した状態において、ノズル部の注出案内シール部の下端縁とポケット部の上端縁とが、内容液収容部の左右方向中央よりも第２の側で交差するように、注出案内シール部が形成されていることにより、ポケット部内からのノズル部の抜け出しをより一層抑制できる。すなわち、パウチを床面等に落下させた時等、パウチに衝撃が加わったときには、パウチへの衝撃によって内容液が流動し、左右方向中央付近が膨らむようにパウチに変形が生じるが、本請求項２に係る発明では、ポケット部の上端縁付近において、ポケット内でノズル部の十分な面積部分が挟まれた状態とすることが可能であるため、ポケット部内からのノズル部の抜け出しを抑制できる。
本請求項３に係る発明によれば、ポケット部の上端縁が左右方向に平行に形成され、注出案内シール部の上端縁および下端縁が、左右方向中央よりも第１の側の領域において、左右方向における第１の側に向かうに従って下方に寄るように形成されていることにより、注出案内シール部の上端縁によって内容液の注出を円滑にガイドできるばかりでなく、ポケット部内からノズル部が抜け出そうとした時に、ポケット部内からのノズル部の抜け出しの程度に関わらず、ポケット部の上端縁と注出案内シール部の下端縁とが斜めに交差した状態を維持することができ、ノズル部を抜け出し難くすることができる。
本請求項４に係る発明によれば、ポケット部に表裏方向に重なる位置における内容液収容部の左右方向の内幅寸法をＢ、ポケット部の上下方向の縦幅寸法をＣと規定した場合、Ｂ／Ｃを１０．０以下に設定することにより、パウチを床面等に落下させた時等、パウチに衝撃が加わったときにおける、ポケット部内からのノズル部の抜け出しを良好に抑制できる。
本請求項５に係る発明によれば、ポケット部の上下方向の縦幅寸法をＣ、第１接続部からポケット部の下端縁までの上下方向の寸法をＤと規定した場合、Ｄ／Ｃを２．０以上に設定することにより、パウチを床面等に落下させた時等、パウチに衝撃が加わったときにおける、ポケット部内からのノズル部の抜け出しを良好に抑制できるとともに、ポケット部内でノズル部の注出口が開いて内容液が液漏れすることを良好に抑制できる。
本請求項６に係る発明によれば、第１の側のサイドシール部に、使用者がパウチを把持するための取手部が形成されていることにより、内容液の注出時に、使用者がパウチを把持した状態で注出口が上方側にくるように誘導することが可能であるため、内容液が勢いよく多量に注出されてしまうことや、内容液の注出時に注出口から外部空気が入り込んで脈動を生じることを抑制できる。
本請求項７に係る発明によれば、ノズル表側フィルム部および本体裏側フィルム部が、トップシール部において、無負荷状態でノズル部が下方を向くように、熱溶着されていることにより、ポケット部内からのノズル部の抜け出しを良好に抑制できる。すなわち、パウチを床面等に落下させた時等、パウチに衝撃が加わったときには、トップシール部の左右方向中央付近に応力が集中するが、本請求項７に係る発明では、上記のトップシール部への応力の集中によって第１接続部の下端縁を支点としてノズル部が跳ね上がってしまうことを抑制できる。また、内容液を充填する際には、トップシール部を形成する前の充填口から充填し、その後、充填口にトップシール部を形成するので、従来からの充填機をそのまま使用することができる。
本請求項８に係る発明によれば、ポケット部が本体表側フィルム部を折り曲げることで形成されていることにより、パウチの構造を簡素化して、パウチの製造コストを低減できる。
【図面の簡単な説明】
【００１０】
【図１】本発明の一実施形態に係るパウチを示す説明図。
【図２】ポケット部内にノズル部を収容した状態を示す説明図。
【図３】ノズル部を上方に向けて持ち上げた状態を示す説明図。
【図４】パウチを構成する各種フィルムを示す斜視図。
【図５】パウチの性能を評価する実験の条件および結果を示す説明図。
【図６】パウチを床面等に落下させた時のパウチの状態を模式的に示す説明図。
【図７】パウチの各種変形例を示す説明図。
【発明を実施するための形態】
【００１１】
以下に、本発明の一実施形態に係るパウチ１０について、図面に基づいて説明する。
【００１２】
まず、パウチ１０は、液体洗剤等の流動性を有した内容液Ｌを収容する所謂スタンディングパウチとして構成され、図１に示すように、内容液収容部２１を有した袋状のパウチ本体２０と、内容液収容部２１に連通する注出流路３１および注出口予定部３２ｂを有したノズル部３０とを備えている。
【００１３】
以下、パウチ１０の各構成要素の構成について具体的に説明する。
【００１４】
まず、パウチ１０は、表裏方向に平面視した場合に全体形状が矩形状（またはほぼ矩形状）に形成され、図１に示すように、頂部側に形成されたトップシール部１１と、底部側に形成されたボトムシール部１２と、左右方向の両側に形成されたサイドシール部１３とを有している。
【００１５】
なお、本実施形態では、図１に示すように、トップシール部１１においては、後述する本体裏側フィルム部２３とノズル表側フィルム部３３とが熱溶着され、ボトムシール部１２においては、本体表側フィルム部２２と本体裏側フィルム部２３とマチ用フィルム部２４とが熱溶着され、サイドシール部１３においては、本体表側フィルム部２２と本体裏側フィルム部２３とが熱溶着されている。
また、本実施形態では、トップシール部１１を通じてパウチ１０への内容液Ｌの充填が行われ、すなわち、トップシール部１１に対応する位置から内容液Ｌの充填を行った後に、トップシール部１１において本体裏側フィルム部２３とノズル表側フィルム部３３とが熱溶着される。
【００１６】
パウチ本体２０は、図１や図４に示すように、本体表側フィルム部２２と、本体表側フィルム部２２の裏側に配置される本体裏側フィルム部２３と、パウチ１０の底部側に配置されるマチ用フィルム部２４とを熱接着することにより、袋状に形成されたものである。
本体表側フィルム部２２と本体裏側フィルム部２３とマチ用フィルム部２４とは、矩形状（またはほぼ矩形状）に形成されている。
【００１７】
本体表側フィルム部２２には、図１に示すように、本体表側フィルム部２２を２回折り曲げることで形成されたポケット部４０が設けられている。
ポケット部４０は、図２に示すように、ノズル部３０の注出口３２ａ側の先端部を収容するものであり、具体的には、本体表側フィルム部２２と後述するノズル裏側フィルム部３４とを対向させるように下方に向けられた状態のノズル部３０を上方から受け入れて収容するように構成されている。
ポケット部４０の上端縁４０ａおよび下端縁４０ｂは、左右方向に平行に形成されている。
ポケット部４０の左右両側であって左右のサイドシール部１３に対応する位置（図１において符号Ｐで指し示す位置）においては、折り重なった本体表側フィルム部２２同士が熱溶着されている。
【００１８】
ノズル部３０は、図１に示すように、ノズル表側フィルム部３３と、ノズル表側フィルム部３３の裏側に配置されたノズル裏側フィルム部３４とから構成されている。
【００１９】
ノズル表側フィルム部３３は、図１に示すように、第１接続部１４（本実施形態ではトップシール部１１）において本体裏側フィルム部２３に接続され、具体的には、ノズル表側フィルム部３３の上端側の一部領域が、本体裏側フィルム部２３の上端側の一部領域に熱接着されている。
【００２０】
ノズル裏側フィルム部３４は、図１に示すように、第１接続部１４よりも下方に設定された第２接続部１５において本体表側フィルム部２２に接続され、具体的には、ノズル裏側フィルム部３４の上端側の一部領域が、本体表側フィルム部２２の上端側の一部領域に熱接着されている。
【００２１】
本体裏側フィルム部２３とノズル表側フィルム部３３、および、本体表側フィルム部２２とノズル裏側フィルム部３４とは、図１に示すように、無負荷状態でノズル部３０が下方を向くように、その一部同士が固着（本実施形態では熱接着）されている。
【００２２】
本実施形態では、図１に示すように、第１接続部１４（トップシール部１１）および第２接続部１５は、左右方向に沿って延びる帯状に形成され、更に具体的には、これら接続部１４、１５の上端縁および下端縁は、左右方向に対して平行に形成されている。
【００２３】
ノズル部３０は、図１に示すように、注出流路３１の左右方向における第１の側（図１等では左側）に形成されたノズルサイドシール部３５と、注出流路３１を挟んでノズルサイドシール部３５の反対側に形成された注出案内シール部３６と、注出流路３１を先端側で塞ぐように形成された封止シール部３７とを有している。
ノズルサイドシール部３５、注出案内シール部３６、および、封止シール部３７においては、ノズル表側フィルム部３３とノズル裏側フィルム部３４とが熱溶着されている。
【００２４】
ノズル部３０には、図１に示すように、封止シール部３７よりも上方の位置に、パウチ１０の開封時（すなわち、注出口３２ａの形成時）に使用者によって破断される注出口予定部３２ｂが形成されている。
なお、注出口予定部３２ｂの具体的態様は、周辺部位よりも強度が低く使用者の手によって破断可能に形成されたものや、破断箇所を示す印刷のみが施されハサミ等で破断されるもの等、如何なるものでもよい。
【００２５】
注出口３２ａまたは注出口予定部３２ｂは、図１に示すように、ポケット部４０に表裏方向に重なる位置における内容液収容部２１の左右方向中央（すなわち、左右方向における内容液収容部２１の中央を通って上下方向に沿って延びる中央仮想線Ｖ）よりも、左右方向における第１の側（図１等では左側）に寄せた位置に形成されている。
【００２６】
注出案内シール部３６は、図１に示すように、中央仮想線Ｖを跨いで形成され、内容液Ｌの注出時に内容液Ｌを注出口３２ａに向けてガイドする部位として機能する部位である。
注出案内シール部３６の注出流路３１側の上端縁３６ａおよび下端縁３６ｂは、図１に示すように、少なくとも中央仮想線Ｖよりも第１の側（図１等では左側）の領域（本実施形態では全域）において、第２の側（図１等では右側）から第１の側（図１等では左側）に向かうに従って下方に寄るように、滑らかに湾曲して形成されている。
また、注出案内シール部３６の下端縁３６ｂは、図２に示すように、ポケット部４０に注出口３２ａを収容した状態において、ポケット部４０の上端縁４０ａに対して中央仮想線Ｖよりも第２の側（図２等では右側）で交差するように形成されている。
【００２７】
図２に示すように、ポケット部４０に注出口３２ａを収容した状態では、ポケット部４０内に収容されたノズル部３０と第１の側（図２等では左側）のサイドシール部１３との間には僅かに間隙が形成され、また、注出口３２ａとポケット部４０の下端縁４０ｂとの間にも僅かに間隙が形成されている。
【００２８】
左右のサイドシール部１３のうち、第１の側（図１等では左側）のサイドシール部１３の内側に膨出した領域には、図１に示すように、使用者がパウチ１０を把持するための取手部２５が形成されている。
なお、本実施形態では、図１に示すように、サイドシール部１３の表裏に貫通するスリットによって、取手部２５を構成しているが、取手部２５の具体的態様については、使用者がパウチ１０を把持可能なものであれば、サイドシール部１３の表裏に貫通する孔によって構成された等、如何なるものでもよい。
【００２９】
次に、パウチ１０の各部の寸法関係の設定と、パウチ１０を床面等に落下させた時のポケット部４０からのノズル部３０の抜け出し等との関係を確認するために行った実験例について、図５に基づいて以下に説明する。
【００３０】
まず、本実験例に用いた試験品については、以下の通りである。
＜試験品＞
パウチ１０：容量７００ｍｌ、９００ｍｌ、１１００ｍｌのスタンディングパウチ
フィルム２２、２３、３３、３４の層構成：１２μｍのＰＥＴ（ポリエチレンテレフタレート）／１５μｍのＮＹ（ナイロン）／１５０μｍのＰＥ（ポリエチレン）
交点Ａの位置：左右方向中央（中央仮想線Ｖ上）、左右方向中央よりも第２の側（図５における右側）に１０ｍｍ寄せた位置
内幅寸法Ｂ：１６０ｍｍ（容量７００ｍｌ時）、２００ｍｍ（容量９００ｍｌ時）、２２０ｍｍ（容量１１００ｍｌ時）
縦幅寸法Ｃ：２０ｍｍ、１５ｍｍ
寸法Ｄ：４０ｍｍ、３０ｍｍ、２０ｍｍ、１５ｍｍ
内容液：水７００ｍｌ（容量７００ｍｌ時）、水９００ｍｌ（容量９００ｍｌ時）、水１１００ｍｌ（容量１１００ｍｌ時）
【００３１】
なお、上記の「フィルム２２、２３、３３、３４の層構成」については、全ての実験において同一の設定を行い、また、「交点Ａの位置」「縦幅寸法Ｃ」「寸法Ｄ」については、図５の表に示す通りに設定を変えて実験を行った。
【００３２】
また、交点Ａ、内幅寸法Ｂ、縦幅寸法Ｃ、および、寸法Ｄの規定は、以下の通りである。
交点Ａ：ポケット部４０に注出口３２ａを収容した状態における、注出案内シール部３６の下端縁３６ｂとポケット部４０の上端縁４０ａとの交点
内幅寸法Ｂ：ポケット部４０に表裏方向に重なる位置における、内容液収容部２１の左右方向における内幅寸法
縦幅寸法Ｃ：ポケット部４０の上端縁４０ａから下端縁（底）４０ｂまでの上下方向における縦幅寸法
寸法Ｄ：第１接続部１４（トップシール部１１）の下端縁１４ａからポケット部４０の下端縁４０ｂまでの上下方向における寸法
【００３３】
また、本実験例における実験方法は、以下の通りである。
＜実験方法＞
各条件５回ずつ、パウチ１０を高さ６０ｃｍの位置から床面に落下させて、パウチ１０の状態を確認した。
また、パウチ１０は、パウチ１０の表側（ノズル部３０やポケット部４０が形成された側）を上方に向けた状態で落下させた。
【００３４】
また、本実験例における評価方法については、以下の通りである。
＜評価方法＞
本実験例では、ポケット部４０からのノズル部３０の抜け出しが無く、ポケット部４０内における注出口３２ａからの内容液Ｌの漏出も確認されなかった場合は「○」、ポケット部４０からのノズル部３０の抜け出しが無かったものの、ポケット部４０内における注出口３２ａからの内容液Ｌの漏出が確認された場合は「△」、ポケット部４０からのノズル部３０の抜け出しおよび注出口３２ａからの内容液Ｌの漏出が確認された場合を「×」として評価した。
【００３５】
図５に示した実験結果からは、以下のことを読み取ることができる。
【００３６】
まず、交点Ａの位置を左右方向中央よりも第２の側（図５や図６における右側）に寄せた位置に設定した場合に、良好な結果を得られることが分かった。その理由は、以下の通りであると考えられる。
【００３７】
すなわち、パウチ１０を床面等に落下させた時には、図６に模式的に示すように、落下の衝撃によって内容液収容部２１内で内容液Ｌが流動し、左右方向中央付近が膨らむようにパウチ１０に変形が生じるが、この際、交点Ａの位置を左右方向中央よりも第２の側（図５や図６における右側）に寄せた位置に設定した場合、図６の符号Ｒで指し示したように、ポケット部４０の上端縁４０ａ付近において、ノズル部３０（ノズル表側フィルム部３３、ノズル裏側フィルム部３４）の一部が、ポケット４０内でノズル部の十分な面積部分が挟まれた状態とすることが可能であり、また、ノズル部３０の一部が、ポケット部４０を構成する本体表側フィルム部２２の間に折れ曲がった状態で挟まれた状態とすることが可能であるため、ポケット部４０内からのノズル部３０の抜け出しを抑制でき、また、ポケット部４０内における注出口３２ａの開口を抑制できると考えられる。
【００３８】
なお、交点Ａの位置は、左右方向中央から第２の側（図５における右側）に、内幅寸法Ｂに対する割合で５〜５０％寄せた位置とするのが望ましい。
【００３９】
また、内幅寸法Ｂ／縦幅Ｃを１０．０以下に設定した場合に、良好な結果を得られることが分かった。その理由は、以下の通りであると考えられる。
【００４０】
すなわち、内幅寸法Ｂに対して縦幅Ｃを小さく設定すると、ノズル部３０を収納する縦幅が小さくなるので、落下の衝撃に起因してノズル部３０に対して作用する力（すなわち、第１接続部１４の下端縁１４ａを支点としてノズル部３０を跳ね上がらせようとする力）がかかった場合に、ノズル部３０が抜けやすくなるためだと考えられる。
【００４１】
また、寸法Ｄ／縦幅Ｃを２．０以上に設定した場合に、良好な結果を得られることが分かった。その理由は、以下の通りであると考えられる。
【００４２】
その理由としては、縦幅Ｃに対して寸法Ｄを長く設定すると、ノズル部３０のうちポケット部４０の外側に出ている部分の上下方向寸法が大きくなり、パウチ１０を床面等に落下させた時に、落下の衝撃に起因してノズル部３０に作用する力（すなわち、第１接続部１４の下端縁１４ａを支点としてノズル部３０を跳ね上がらせようとする力）を、ノズル部３０のうちポケット部４０の外側に出ている部分によって緩和し、ポケット部４０からノズル部３０を抜け出させようとする力を弱めることができるためだと考えられる。
【００４３】
以上、本発明の実施形態を詳述したが、本発明は上記実施形態に限定されるものではなく、特許請求の範囲に記載された本発明を逸脱することなく種々の設計変更を行なうことが可能である。また、上述した実施形態や後述する変形例の各構成を、任意に組み合わせてパウチ１０を構成しても何ら構わない。
【００４４】
例えば、パウチ１０を構成する各樹脂フィルム（本体表側フィルム部２２、本体裏側フィルム部２３、マチ用フィルム部２４、ノズル表側フィルム部３３、ノズル裏側フィルム部３４）の具体的態様については、低密度ポリエチレンやポリプロピレンのオレフィン系やＰＥＴなどのポリエステル系等の熱溶着性を有する層を有するものであれば、如何なるものでもよく、公知のポリエステル、ポリプロピレン、ポリアミド、ポリエチレン、ボリブチレンテレフタレート、アルミ箔等を積層することで任意に形成すればよい。製造コストの観点からは、全ての樹脂フィルムを同一構造とするのが望ましい。
また、上述した実施形態では、パウチ本体２０が、本体表側フィルム部２２と本体裏側フィルム部２３とマチ用フィルム部２４の３枚の樹脂フィルムから形成されているものとして説明したが、パウチ本体２０の具体的態様は、上記に限定されず、例えば、１枚の樹脂フィルム（すなわち、本体表側フィルム部２２と本体裏側フィルム部２３とマチ用フィルム部２４とを一体に形成した樹脂フィルム）を折り曲げて所定箇所で熱溶着して構成したもの等、如何なるものでもよい。
また、上述した実施形態では、パウチ本体２０が、底部にマチ部を有した所謂スタンディングパウチとして構成されているものとして説明したが、パウチ本体２０の具体的態様は上記に限定されず、例えば、マチ部を有さないパウチや、両側部にそれぞれマチ部を有した所謂横ガゼット型のパウチ等、如何なるものでもよい。
また、上述した実施形態では、左右方向における第１の側がパウチ１０の左側であるとともに第２の側が右側であるものとして説明したが、反対に、第１の側がパウチ１０の右側であるとともに第２の側が左側であるものとして、パウチ１０を構成してもよい。
【００４５】
また、上述した実施形態では、本体表側フィルム部２２とノズル裏側フィルム部３４とが別体に形成されているものとして説明したが、図７（ａ）に示すように、本体表側フィルム部２２とノズル裏側フィルム部３４とを一枚の樹脂フィルムとして形成してもよく、また、本体表側フィルム部２２とノズル裏側フィルム部３４とを別体に形成した場合における、本体表側フィルム部２２とノズル裏側フィルム部３４との間の固着態様についても、図７（ｂ）や図７（ｃ）に示すように、如何なるものでもよい。
また、上述した実施形態では、ノズル表側フィルム部３３とノズル裏側フィルム部３４とが別体に形成されているものとして説明したが、図７（ｄ）に示すように、ノズル表側フィルム部３３およびノズル裏側フィルム部３４を一枚の樹脂フィルムとして形成してもよい。
また、上述した実施形態では、本体裏側フィルム部２３とノズル表側フィルム部３３とが別体に形成されているものとして説明したが、図７（ｅ）に示すように、本体裏側フィルム部２３とノズル表側フィルム部３３とを一枚の樹脂フィルムとして形成してもよい。
また、上述した実施形態では、注出案内シール部３６が、その上端縁３６ａおよび下端縁３６ｂが湾曲して形成されているものとして説明したが、注出案内シール部３６の上端縁３６ａまたは下端縁３６ｂの少なくとも一方を直線状に形成してもよい。
また、上述した実施形態では、注出口予定部３２ｂを破断させて注出口３２ａを形成したノズル部３０をポケット部４０内に収容するものとして説明したが、注出口３２ａを形成する前の状態で、ノズル部３０をポケット部４０内に収容可能であるように構成してもよい。
また、上述した実施形態では、ポケット部４０が、本体表側フィルム部２２を２回折り曲げることで形成されたものとして説明したが、ポケット部４０の具体的態様は、ノズル部３０を上方から受け入れ可能なものであれば如何なるものでもよい。
【符号の説明】
【００４６】
１０    ・・・  パウチ
１１    ・・・  トップシール部
１２    ・・・  ボトムシール部
１３    ・・・  サイドシール部
１４    ・・・  第１接続部
１４ａ  ・・・  第１接続部の下端縁
１５    ・・・  第２接続部
２０    ・・・  パウチ本体
２１    ・・・  内容液収容部
２２    ・・・  本体表側フィルム部
２３    ・・・  本体裏側フィルム部
２４    ・・・  マチ用フィルム部
２５    ・・・  取手部
３０    ・・・  ノズル部
３１    ・・・  注出流路
３２ａ  ・・・  注出口
３２ｂ  ・・・  注出口予定部
３３    ・・・  ノズル表側フィルム部
３４    ・・・  ノズル裏側フィルム部
３５    ・・・  ノズルサイドシール部
３６    ・・・  注出案内シール部
３６ａ  ・・・  注出案内シール部の上端縁
３６ｂ  ・・・  注出案内シール部の下端縁
３７    ・・・  封止シール部
４０    ・・・  ポケット部
４０ａ  ・・・  ポケット部の上端縁
４０ｂ  ・・・  ポケット部の下端縁
Ｌ      ・・・  内容液
Ｖ      ・・・  中央仮想線
【図１】
2020152393.tif 000003
【図２】
2020152393.tif 000004
【図３】
2020152393.tif 000005
【図４】
2020152393.tif 000006
【図５】
2020152393.tif 000007
【図６】
2020152393.tif 000008
【図７】
2020152393.tif 000009